(57)【特許請求の範囲】
【請求項１】
散水によって水を流下させて屋根面を冷却する屋根冷却システムに用いられる散水装置であって、その内部に略等間隔に堰板が配設され、かつ、当該堰板間の管壁に前記屋根面に向けて散水ノズルが穿設された散水管を備え、前記散水管内の水が流下するように前記屋根の上棟部及び／又は傾斜棟部に設置する構成となっていることを特徴とする散水装置。
【請求項２】
貯留水を揚水ポンプにより屋根に揚げ、散水装置を介して散水し当該屋根面を冷却するようにした屋根冷却システムにおいて、給水管を介して前記揚水ポンプに連結された中継受水槽を前記屋根上に設置すると共に、前記散水装置を、一端側が前記中継受水槽に連結され、内部に略等間隔に堰板が配設され、かつ当該堰板間の管壁に前記屋根面に向けて散水ノズルが穿設された散水管を、管内の水が流下するように前記屋根の上棟部及び／又は傾斜棟部に設置して構成したことを特徴とする屋根冷却システム。
【請求項３】
前記中継受水槽には内部に貯留される水の液面を検出する液面検出器が設けられ、当該液面検出器の検出信号により前記揚水ポンプの駆動が制御されるように構成されていることを特徴とする請求項２記載の屋根冷却システム。
【請求項４】
貯留水を揚水ポンプにより屋根に揚げ、散水装置を介して散水し当該屋根面を冷却するようにした屋根冷却システムにおいて、前記散水装置を、一端側が前記揚水ポンプに連結され、内部に略等間隔に堰板が配設され、かつ当該堰板間の管壁に前記屋根面に向けて散水ノズルが穿設された散水管を、管内の水が流下するように前記屋根の上棟部及び／又は傾斜棟部に設置して構成したことを特徴とする屋根冷却システム。
【請求項５】
前記屋根の形状は、片流れ、切妻、寄棟のいずれかであることを特徴とする請求項２から４のいずれか一項記載の屋根冷却システム。
【請求項６】
前記屋根面は、金属板或いはスレート板で形成されていることを特徴とする請求項２から５のいずれか一項記載の屋根冷却システム。
【発明の詳細な説明】
【技術分野】
【０００１】
本発明は、散水によって水を流下させて屋根面を冷却する屋根冷却システムに用いられる散水装置と、貯留水を揚水ポンプにより屋根に揚げ、散水装置を介して散水し当該屋根面を冷却するようにした屋根冷却システムに関する。
【背景技術】
【０００２】
夏場など、家屋やビル或いは工場や倉庫等の建物の屋根は直射日光を受け、これにより建物内の温度が上昇するため、建物内における作業や製品の品質等に支障を生じる。とくに、このような建物の屋根が瓦以外の、例えば折板構造或いは瓦棒構造等の金属板から成る屋根である場合には建物内の温度上昇が一層顕著となる。このため、一般的には、建物を風通しがよく熱だまりができ難い構造とすること、屋根を高くすること、或いは屋根の下部に断熱材を張ること等の種々の方法が採られている。しかし、これらの方法は、建物の建築、とくに既に建築された建物の改築等に要する費用が高くなるという問題があった。
【０００３】
これに対し、従来、散水することにより建物の屋根面を冷却するようにした屋根冷却システムが公知である。例えば、特許文献１或いは特許文献２には、雨水や風呂の残り湯を貯水槽に貯留しておき、冷却に際してこの貯留水を揚水ポンプで屋根に揚げ、棟部に設置した散水器具により屋根面に散水し、冷却に供した水を回収して再利用するようにした屋根冷却システムが提案されている。
【０００４】
【特許文献１】特開２００４−７６５４１号公報
【特許文献２】特開平１１−３２４０３０号公報
【発明の開示】
【発明が解決しようとする課題】
【０００５】
しかしながら、このような屋根冷却システムでは、貯留水を高揚程、高吐出量のポンプを用いて地上から屋根に揚水し、この水を散水器具のノズルから勢いよく霧状又は粒状に吹き出して散水するものであったため、次のような問題があつた。
（イ）霧状又は粒状に散水するため、水圧の変化によりムラが生じ、屋根面全体を均等に冷却することができないこと。
（ロ）霧状又は粒状の水滴が風或いは流速によって屋根から飛散し、通行人等にかかる心配があること。
（ハ）高能力の揚水ポンプやスプリンクラー等の散水装置を使用するためシステムが高価となること。
（ニ）使用水量が多くなること。
【０００６】
本発明者は、屋根面の冷却は、冷却効率やコスト等の面から、高能力の揚水ポンプやスブリンクラー等の散水装置を用いて大量の水を勢いよく流して冷却することより、むしろ、水を屋根まで揚げ得るだけの極めて低能力の揚水ポンプを用い、屋根に揚げた水を少量ずつゆっくり流して冷却する方がはるかに優れていることを見出し、本発明を想定するに至った。
【０００７】
本発明は上述のような背景によりなされたものであり、その目的とするところは、屋根とくに折板構造或いは瓦棒構造等の金属板から成る屋根面、或いはスレート製の屋根面等を少量の水により効率的かつ安価に冷却できる散水装置、並びに当該散水装置を用いた屋根冷却システムを提供することにある。
【課題を解決するための手段】
【０００８】
本発明の散水装置は、散水によって水を流下させて屋根面を冷却する屋根冷却システムに用いられる散水装置であって、その内部に略等間隔に堰板が配設され、かつ、当該堰板間の管壁に前記屋根面に向けて散水ノズルが穿設された散水管を備え、前記散水管内の水が流下するように前記屋根の上棟部及び／又は傾斜棟部に設置する構成となっていることを特徴とする。
【０００９】
また、本発明の上記目的は、貯留水を揚水ポンプにより屋根に揚げ、散水装置を介して散水し当該屋根面を冷却するようにした屋根冷却システムにおいて、給水管を介して前記揚水ポンプに連結された中継受水槽を前記屋根上に設置すると共に、前記散水装置を、一端側が前記中継受水槽に連結され、内部に略等間隔に堰板が配設され、かつ該堰板間の管壁に前記屋根面に向けて散水ノズルが穿設された散水管を、管内の水が流下するように前記屋根の上棟部及び／又は傾斜棟部に設置して構成したことを特徴とする屋根冷却システムを提供することにより、達成される。
【００１０】
また、本発明の上記目的は、前記中継受水槽には内部に貯留される水の液面を検出する液面検出器が設けられ、該液面検出器の検出信号により前記揚水ポンプの駆動が制御されるように構成されていることを特徴とする屋根冷却システムを提供することにより、効果的に達成される。
【００１２】
また、本発明の上記目的は、貯留水を揚水ポンプにより屋根に揚げ、散水装置を介して散水し当該屋根面を冷却するようにした屋根冷却システムにおいて、前記散水装置を、一端側が前記揚水ポンプに連結され、内部に略等間隔に堰板が配設され、かつ該堰板間の管壁に前記屋根面に向けて散水ノズルが穿設された散水管を、管内の水が流下するように前記屋根の上棟部及び／又は傾斜棟部に設置して構成したことを特徴とする屋根冷却システムを提供することにより、達成される。
【００１３】
また、本発明の上記目的は、前記屋根の形状は、片流れ、切妻、寄棟のいずれかであることを特徴とする屋根冷却システムを提供することにより、効果的に達成される。
【００１４】
さらにまた、本発明の上記目的は、前記屋根面は、金属板或いはスレート板で形成されていることを特徴とする屋根冷却システムを提供することにより、効果的に達成される。
【発明の効果】
【００１５】
本発明に係る屋根冷却システムでは、中継受水槽に接続された散水装置、或いは中継受水槽を設置することなく揚水ポンプに直接接続された散水装置が少量の水を略均一な圧力をもって少量ずつゆっくり屋根面に流すように構成されているので、屋根面全体を均等に冷却することができ、また、水滴が風或いは流速によって屋根から飛散し通行人等にかかる心配がなく、さらにまた、貯留槽の水を屋根上に設置された中継受水槽に揚げるだけの、極めて低能力の揚水ポンプにより目的が達成されるので、安価な屋根冷却システムを提供することができる。とくに、中継受水槽の内部に貯留される水の液面を検出する液面検出器が設けられ、この液面検出器の検出信号により揚水ポンプの駆動が制御されるように構成された屋根冷却システムによれば、中継受水槽内に必要以上の水が貯留された場合には揚水ポンプの駆動が停止されるので節水ができ、また中継受水槽から一定量の水を散水装置に流すように構成されているので、散水装置にかかる水圧を低く、かつ略一定に保つことができ、これにより低エネルギーの屋根冷却システムを提供することができる。本発明は、屋根が折板構造或いは瓦棒構造等の金属製の屋根である場合にとくに顕著な冷却効果を奏する。
【００１６】
なお、本発明においては、上述のように中継受水槽を屋根上に設置することが望ましいが、状況によりこの中継受水槽を省略しても、その効果を失うものではない。
【発明を実施するための最良の形態】
【００１７】
図１〜図４は、本発明の第１実施形態に係る屋根冷却システムの説明図で、図１はシステム全体を示す斜視図、図２はその上面図、図３はその右側面図、図４は図２のＸ−Ｘ断面図である。
【００１８】
図示するように、本屋根冷却システム１は、片流れ造りで瓦棒構造の屋根６に適用した場合のもので、第１貯水槽２に続く第２貯水槽３から送られる貯留水を揚水ポンプ４により立給水管５、接続管５Ａを介して屋根６上に設置された中継受水槽２０に揚げて貯留し、この貯留水を接続管８Ｃを介して屋根６の上棟部７に設置された散水装置８の横給水管８Ａに流し込み、この横給水管８Ａに連通された散水管８Ｂの散水ノズル８ｎから瓦棒屋根の山部９間に広がる屋根面、すなわち瓦棒屋根の谷部１０に点線矢印で示すように散水して冷却するようにしたものである。なお、瓦棒屋根の谷部１０の冷却に供した余剰の水は軒樋１１及び立樋１２を介して第１貯水槽２に回収され、再利用されるようになっている。
【００１９】
中継受水槽２０は、図３に示すように、屋根６の上棟部７において水平状態に設置された台座２１に、上部が開放された枡形の水槽２２を載置、固定して成っている。なお、この中継受水槽２０の形状や大きさ、あるいは屋根６上における設置方法等は冷却仕様により任意に設定される。
【００２０】
この水槽２２には、図４に断面図で示すように、貯留水の液面を検出するフロート２３Ａ及びこのフロート２３Ａの上下動に連動して作動するリミットスイッチ２３Ｂから成る公知の液面検出器２３が設けられており、接続管５Ａから矢印で示すように水槽２２内に送り込まれて貯留する水が所定の水位すなわち液面がＨ２或いはＨ１になると、液面検出器２３から検出信号Ｓが出力され、この検出信号Ｓにより揚水ポンプ４の駆動或いは停止が制御されるようになっている。なお、このような制御方法は公知であるので説明は省略する。
【００２１】
水槽２２内に貯留された水は、接続管８Ｃの管路内をゆっくり流れて散水装置８の横給水管８Ａに送られる。
【００２２】
散水装置８は、図２に示すように、一端側が上述したように接続管８Ｃを介して中継受水槽２０に連結され、他端側が閉鎖された横給水管８Ａを屋根の棟部７に沿って設置する一方、管壁に瓦棒屋根の谷部１０に向けて散水ノズル８ｎが等間隔に穿設された散水管８Ｂの一端側を横給水管８Ａの一端側に連結し、散水管８Ｂの他端側を横給水管８Ａの他端側に連結して構成されている。なお、散水ノズル８ｎのノズルの大きさ（口径）及びノズル間隔等は、主として、冷却を要する瓦棒屋根の谷部１０の形状、材質、総面積等を考慮して設定される。
【００２３】
以上のとおり構成された本屋根冷却システム１における散水装置８によれば、揚水ポンプ４により揚水され、立給水管５、接続管５Ａを介して中継受水槽２０に貯留された水が接続管８Ｃから横給水管８Ａに送り出されると、横給水管８Ａと散水管８Ｂとの間を等圧で循環するようになり、これによりどの散水ノズル８ｎからも略均一な圧力をもって水が少量ずつゆっくり流れ出し、これにより瓦棒屋根の谷部１０が均等に冷却される。
【００２４】
このように中継受水槽２０を設けることにより、水槽２２内に必要以上の水が貯留された場合には液面検出器２３の検出信号Ｓに基づき揚水ポンプ４の駆動が停止されるので節水ができ、また液面が略一定に維持されるので、中継受水槽から常に略一定量の水を散水装置に流すことができ、これにより散水装置にかかる水圧を低く、かつ略一定に保つことができる。
【００２５】
ここに、第１貯水槽２は、雨水或いは冷却に供した水を濾過して貯留する機能を有するもので、立樋１２からの水を受け入れる上部位置には網材或いはフィルタ材等により構成された濾過装置２Ａが設けられており、内部には堰２Ｂが設けられて多段カスケードが形成されている。第１貯水槽２の底部に沈澱した土砂等は定期的な清掃等により除去され、図３に点線矢印で示すように、濾過されて清浄化された水のみが第２貯水槽３に貯留される。第２貯水槽３内の貯留水が満杯になるとオーバーフロー管３Ａを介して外に排水されるようになっている。なお、本実施形態では、第１貯水槽２に雨水或いは冷却に供した水を受け入れるようになっているが、この外、例えばお風呂の残り湯或いは洗濯のすすぎ水等を受け入れるようにすることも可能である。
【００２６】
なお、本発明において使用される揚水ポンプ４は、第２貯水槽３の貯留水を屋根６上の中継受水槽２０に揚げられるだけの能力を有するものであればよく、従来システムのような高能力で高価なものは不要である。
【００２７】
本屋根冷却システム１では、上述したように、中継受水槽２０から散水装置８に送られた水が瓦棒屋根の谷部１０に向けて略均一な圧力をもって少量ずつゆっくり流れ出すように構成されているので、瓦棒屋根の谷部１０をムラなく均等に冷却することができ、また、水滴が飛散することがないので通行人等にかかる心配がない。さらにまた、使用する揚水ポンプ４を低価格で入手できるので、安価な屋根冷却システムを提供することができる。
【００２８】
図５及び図６は、本発明の第２実施形態に係る屋根冷却システム１００の説明図で、図４はその立面図、図５はその要部の上面図である。
【００２９】
本屋根冷却システム１００は、前述した第１実施形態の変更例に係るもので、散水装置１０８及び屋根６の形状が切妻造りである点を除く他の構成要素は第１実施形態と実質的に同一であるので、以下では共通する構成要素に同一の符号を付して説明する。
【００３０】
すなわち、本屋根冷却システム１００は、実質上、第１実施形態における散水装置８の機構を適用して散水装置１０８とし、これを切妻造りの屋根６上に設置して成るものである。
【００３１】
本屋根冷却システム１００における散水装置１０８は、屋根６の両側の屋根面１０に散水されるように構成されている。すなわち、図６に示すように、散水装置１０８は、一端側が連結管８Ｃを介して屋根６上に第１実施形態と同様に設置された中継受水槽２０に連結され、他端側が閉鎖された横給水管８Ａを屋根６の頂部（前記上棟部７）に沿って設置する一方、管壁に両側の瓦棒屋根の谷部１０に向けて夫々散水ノズル８ｎが略等間隔に穿設された２系列の散水管８Ｂ１、８Ｂ２の各一端側を横給水管８Ａの一端側に連結し、散水管８Ｂ１、８Ｂ２の各他端側を横給水管８Ａの他端側に連結して構成されている。なお、横給水管８Ａは水を両側の瓦棒屋根の谷部１０に向けて流し出すため、管径が第１実施形態の場合に比べ大きく設定されている。
【００３２】
以上のとおり構成された本屋根冷却システム１００における散水装置１０８によれば、第１実施形態における散水装置８の場合と同様に、揚水ポンプ４により揚水され、立給水管５、接続管５Ａを介して中継受水槽２０に貯留された水が接続管８Ｃから横給水管８Ａに送り出されると、横給水管８Ａと散水管８Ｂとの間を略等圧で流れるようになり、これによりどの散水ノズル８ｎからも略均一な圧力をもって水が少量ずつゆっくり流れ出し、これにより瓦棒屋根の谷部１０が均等に冷却される。
【００３３】
図７〜図９は、本発明の第３実施形態に係る屋根冷却システム２００の説明図で、図７はその立面図、図８は要部である散水装置２０８の分解斜視図、図９は図８のＹ−Ｙ断面図である。
【００３４】
本屋根冷却システム２００は、屋根形状が第１実施形態と同様の片流れ造りである場合に係るものであるが、要部である散水装置２０８の構成が第１実施形態における散水装置８と本質的に異なっている。
【００３５】
すなわち、本屋根冷却システム２００における散水装置２０８は、図７及び図８に示すように、一端側が接続管８Ｃを介して中継受水槽２０に連結され、他端側が開放され、かつ上方の開口部に蓋体２０８Ａがビス２０８Ｂによって取り付けられた横断面視Ｕ字状の散水管２０８Ｃを、内部の水が流下し得る所定の角度θ１をもって屋根６の上棟部７に沿って設置されて成っている。この散水管２０８Ｃの内部の長手方向には堰板２０８Ｄが略等間隔に立設され、かつ、この堰板２０８Ｄ間における散水管２０８Ｃの片側（屋根面１０側）の管壁２０８Ｃｗには瓦棒屋根の谷部１０に向けて散水ノズル２０８Ｃｎが穿設されている。なお、堰板２０８Ｄの高さは管壁２０８Ｃｗの高さより低く設定され、この堰板２０８Ｄの高さより低い位置に散水ノズル２０８Ｃｎが穿設されている。
【００３６】
ここに、散水管２０８Ｃの設置角度θ１、堰板２０８Ｄの設置間隔、散水ノズル２０８Ｃｎのノズルの大きさ（口径）及びノズル間隔等は、前記同様に、主として、冷却を要する屋根面１０の形状、材質、総面積等を基準として設定される。なお、堰板２０８Ｄは散水管２０８Ｃの底面に対して必ずしも垂直に立設する必要はなく、接続管８Ｃ方向に鋭角となるように設定してもよい。また、散水管２０８Ｃと上棟部７との間に調節ネジを設け、このネジを調節することにより、設置角度θ１を任意の角度に設定できるようにすることも可能である。
【００３７】
以上のとおり構成された本屋根冷却システム２００における散水装置２０８によれば、揚水ポンプ４により揚水され、立給水管５及び接続管５Ａを介して中継受水槽２０に貯留された水は、接続管８Ｃから流れ出た後、図９に点線矢印で示すように途中で各堰板２０８Ｄにより堰止められ、堰止められた水は堰板２０８Ｄを乗り越えて次第に流下する。このようにして流下する間、堰止められた水は実線矢印で示すように散水ノズル２０８Ｃｎから瓦棒屋根の谷部１０に向けて少量ずつゆっくり流れ出し、これにより、前記実施形態と同様に、屋根面１０が冷却される。なお、長い間には堰板２０８Ｄと散水管２０８Ｃ底面の角部に泥やゴミ等が堆積することがあるが、このような堆積物は蓋体２０８Ａを散水管２０８Ｃから取り外して除去することができる。
【００３８】
図１０〜図１２は、本発明の第４実施形態に係る屋根冷却システム３００の説明図で、図１０はその上面図、図１１は要部である散水装置３０８の一部を構成する散水装置２０８の分解斜視図、図１２は図１１のＺ−Ｚ断面上面図である。
【００３９】
本屋根冷却システム３００は、屋根６の形状が寄棟造りである場合に係るもので、要部である散水装置３０８を前述した散水装置１０８と散水装置２０８との組合せにより構成したものである。
【００４０】
具体的には、図１０に示すように、屋根６の上棟部７には散水装置１０８を、傾斜棟部７Ａには散水装置２０８を設置して成るものである。なお、上棟部７Ａに設置される散水装置１０８の構成は図６に基づき前述したものと実質的に同一であるので、この詳細な説明は省略する。
【００４１】
傾斜棟部７Ａに角度θ２をもって設置される散水装置２０８の構成は、図１１に示すように、散水ノズル２０８Ｃｎが散水管２０８Ｃの両管壁２０８Ｃｗに穿設されている点を除き、図８に基づき前述したものと実質的に同一なものとなっている。なお、この両管壁２０８Ｃｗに穿設される散水ノズル２０８Ｃｎの向きは、図１２に角度θ３で示すように、壁面に対して略直角に設定されている。
【００４２】
蓋体２０８Ａを散水管２０８Ｃに組み付けて成る散水装置２０８は、一端側が横給水管８Ａに接続され、他端側が二股に分岐された分岐管５Ｂの一つの開口部に組み付けられ、傾斜棟部７Ａに傾斜角度θ２をもって固定される。分岐管５Ｂの他の一つの開口部には反対側の傾斜棟部７Ａに設置される散水装置２０８が組み付けられる。横給水管８Ａの長手方向の略中央部には屋根６上に水平状態に設置された中継受水槽２０に接続する接続管８Ｃが連結されている。なお、本実施形態では、散水装置２０８の傾斜角度θ２は傾斜棟部７Ｂの傾斜角と一致したものとなっているが、この傾斜角度θ２は任意の角度に設定し得るものであることは前述したとおりである。
【００４３】
以上のとおり構成された本屋根冷却システム３００における散水装置３０８によれば、図１０に点線矢印で示すように、上棟部７においては、立給水管５から横給水管８Ａに導入された水が散水装置１０８における散水管８Ｂ１、８Ｂ２の散水ノズル８ｎから横給水管８Ａと直交する方向に少量ずつゆっくり流れ出す一方、傾斜棟部７Ａにおいては、分岐管５Ｂから散水装置２０８に導入された水が、散水管２０８Ｃ内を流下する過程で両管壁２０８Ｃｗの散水ノズル２０８Ｃｎから、図１２に示すように互いに直交する方向に少量ずつゆっくり流れ出し、これにより寄棟造りの屋根面、すなわち瓦棒屋根の谷部１０の全面が冷却される。
【００４４】
以上、本発明の内容を屋根が瓦棒構造の場合について説明したが、本発明は瓦棒構造に限らず、この他、例えば折板構造、波板構造等の屋根であってもよく、さらには通常の瓦葺き屋根であってもよい。なお、本発明は、熱効率の面から、とくに瓦棒構造や折板構造等の金属製の屋根、或いはスレート製の板屋根に適用することが好ましい。
【００４５】
また、以上の実施形態は、いずれも、屋根の上に中継受水槽を設け、この受水槽を中継して散水するように構成されたものであるが、必要に応じ、例えばコスト面等の理由によってはこの中継受水槽を省き、揚水ポンプから直接散水装置に揚水するようにすることも可能である。
【００４６】
すなわち、前記散水装置を、一端側が揚水ポンプに連結され、他端側が閉鎖された給水管を屋根の上棟部に沿って設置する一方、管壁に前記屋根面に向けて散水ノズルが略等間隔に穿設された散水管の一端側を前記給水管の一端側に連結し、この散水管の他端側を前記給水管の他端側に連結して構成してもよく、或いは、前記散水装置を、一端側が揚水ポンプに連結され、内部に略等間隔に堰板が配設され、かつこの堰板間の管壁に屋根面に向けて散水ノズルが穿設された散水管を、管内の水が流下するように前記屋根の上棟部及び／又は傾斜棟部に設置して構成してもよい。
【００４７】
なお、以上の説明は、あくまでも本発明の実施形態を示したものであり、同一の作用効果が達成される単なる設計の変更や常套手段による構成の変更は、本発明の実施態様に含まれるものである。
【図面の簡単な説明】
【００４８】
【図１】本発明の第１実施形態に係る屋根冷却システムの全体を示す斜視図である。
【図２】図１の上面図である。
【図３】図１の右側面図である。
【図４】図２のＸ−Ｘ断面図である。
【図５】本発明の第２実施形態に係る屋根冷却システムを示す立面図である。
【図６】図５の要部を示す上面図である。
【図７】本発明の第３実施形態に係る屋根冷却システムを示す立面図である。
【図８】図７の要部である散水装置の分解斜視図である。
【図９】図８のＹ−Ｙ断面図で、水の流下状態を示す図である。
【図１０】本発明の第４実施形態に係る屋根冷却システムを示す上面図である。
【図１１】図１０の要部である散水装置の分解斜視図である。
【図１２】図１２のＺ−Ｚ断面上面図である。
【符号の説明】
【００４９】
１、１００、２００、３００    屋根冷却システム
２                            第１貯水槽
３                            第２貯水槽
４                            揚水ポンプ
５                            立給水管
５Ａ、８Ａ                    接続管
６                            屋根
７                            上棟部
７Ａ                          傾斜棟部
８、１０８、２０８、３０８    散水装置
８ｎ、２０８Ｃｎ              散水ノズル
９                            瓦棒屋根の山部
１０                          瓦棒屋根の谷部
１１                          軒樋
１２                          立樋
２０                          中継受水槽
２３                          液面検出器
【図１】
0005232439.tif 000002
【図２】
0005232439.tif 000003
【図３】
0005232439.tif 000004
【図４】
0005232439.tif 000005
【図５】
0005232439.tif 000006
【図６】
0005232439.tif 000007
【図７】
0005232439.tif 000008
【図８】
0005232439.tif 000009
【図９】
0005232439.tif 000010
【図１０】
0005232439.tif 000011
【図１１】
0005232439.tif 000012
【図１２】
0005232439.tif 000013